(57)【特許請求の範囲】
【請求項１】
平面状の表示面を有するフラットパネルディスプレイ（ＦＰＤ）装置の前記表示面に保護カバーを貼り付けるための治具であって、
前記保護カバーを位置決め保持する凹状のカバー収容部と、
前記カバー収容部の外側において前記ＦＰＤ装置の少なくとも一対の側縁部と係合する係合段部を有して前記ＦＰＤ装置を前記保護カバーから僅かに離れた状態で位置決め保持する装置収容部と、を備え、
前記カバー収容部又は前記装置収容部は、前記ＦＰＤ装置の前記表示面が前記保護カバーに対して前記表示面の一端側から他端側に向けて離間距離が漸増する傾斜状態に保持するよう設定され、前記カバー収容部の底部には、前記保護カバーの一部を前記表示面に対して押し付けるための押圧操作部が設けられており、
前記押圧操作部は、前記保護カバーと前記表示面との離間距離が漸増する方向に沿って延びる長孔とされているフラットパネルディスプレイ装置用保護カバーの貼付治具。
【請求項２】
平面状の表示面を有するフラットパネルディスプレイ（ＦＰＤ）装置の前記表示面に保護カバーを貼り付けるための治具であって、
前記保護カバーを位置決め保持する凹状のカバー収容部と、
前記カバー収容部の外側において前記ＦＰＤ装置の少なくとも一対の側縁部と係合する係合段部を有して前記ＦＰＤ装置を前記保護カバーから僅かに離れた状態で位置決め保持する装置収容部と、を備え、
前記カバー収容部又は前記装置収容部は、前記ＦＰＤ装置の前記表示面が前記保護カバーに対して前記表示面の一端側から他端側に向けて離間距離が漸増する傾斜状態に保持するよう設定されており、
前記カバー収容部の底部には、前記保護カバーの一部を前記表示面に対して押し付けるための押圧操作部が設けられるとともに、前記保護カバーを仮保持する粘着層が設けられているフラットパネルディスプレイ装置用保護カバーの貼付治具。
【請求項３】
前記押圧操作部は、前記保護カバーと前記表示面との離間距離が少ない側に片寄って配されている請求項１または請求項２に記載のフラットパネルディスプレイ装置用保護カバーの貼付治具。
【請求項４】
前記カバー収容部は長方形状の前記底部と当該底部から立ち上がる側壁部とを備え、前記底部と、前記底部の一辺の少なくとも一部を含む前記側壁部との間の角度が、直角より小さい角度に設定されている請求項１ないし請求項３のいずれか一項に記載のフラットパネルディスプレイ装置用保護カバーの貼付治具。
【請求項５】
請求項１ないし請求項４のいずれか一項に記載のフラットパネルディスプレイ装置用保護カバーの貼付治具と、前記貼付治具の前記カバー収容部に収容された保護カバーと、前記保護カバーを収容した前記貼付治具を収容する外装箱とを備えるフラットパネルディスプレイ装置用保護カバーの貼り付けキット。
【請求項６】
前記貼付治具の少なくとも四隅部には、前記外装箱内において前記外装箱の内面に接する支持壁部が設けられている請求項５記載のフラットパネルディスプレイ装置用保護カバーの貼り付けキット。
【請求項７】
前記貼付治具うち前記押圧操作部の周囲には、前記カバー収容部の反対側に向けて突出する受け壁部が設けられている請求項５又は請求項６記載のフラットパネルディスプレイ装置用保護カバーの貼り付けキット。
【発明の詳細な説明】
【技術分野】
【０００１】
本明細書に開示される技術は、例えばスマートフォンやタブレット型ＰＣなどのフラットパネルディスプレイ装置の表示面を保護する保護カバーの貼付治具および保護カバーの貼り付けキットに関する。
【背景技術】
【０００２】
近年、例えばスマートフォンやタブレット型ＰＣなどに代表されるフラットパネルディスプレイ（ＦＰＤ）装置が、急速に普及してきている。その中でもとりわけ携帯用のＦＰＤ装置は、例えば鞄やポケットに入れて持ち運ばれたり、机等の上に不用意に置かれたり、電話機能が使用される際には肌に密着されたりするため、表示面が傷ついたり汚れたりするのを防止するべく、しばしば保護カバーが使用されている。
【０００３】
このような保護カバーは、例えば透明性、機械的強度、防汚性等の特性に優れる強化ガラスやＰＭＭＡ製等の硬質の板材やフィルムを、例えばシリコン系粘着層により、ＦＰＤ装置の表示面に貼り付ける構成とされている。
【先行技術文献】
【特許文献】
【０００４】
【特許文献１】実用新案登録第３１９６１５１号公報
【発明の概要】
【発明が解決しようとする課題】
【０００５】
しかし、保護カバーを貼り付ける際に表示面に対して位置合わせを行うことは容易ではなく、また、保護カバーと表示面との間に気泡が混入しないように貼り付けなければならない。位置合わせが上手くいかなかったり、気泡が混入した際には、何度でも貼り直さなくてはならないという問題があった。
【０００６】
本明細書に開示される技術は上記事情に鑑みて考えられたものであって、例えばスマートフォンやタブレット型ＰＣなどのＦＰＤ装置の表示面を保護する保護カバーを、表示面に対して簡単に位置合わせでき、かつ、気泡を混入させることなく貼り付けることができるＦＰＤ装置用保護カバーの貼付治具およびＦＰＤ装置用保護カバーの貼り付けキットを提供することを目的とするものである。
【課題を解決するための手段】
【０００７】
本明細書に開示される技術は、平面状の表示面を有するフラットパネルディスプレイ（ＦＰＤ）装置の前記表示面に保護カバーを貼り付けるための治具であって、前記保護カバーを位置決め保持する凹状のカバー収容部と、前記カバー収容部の外側において前記ＦＰＤ装置の少なくとも一対の側縁部と係合する係合段部を有して前記ＦＰＤ装置を前記保護カバーから僅かに離れた状態で位置決め保持する装置収容部とを備え、前記カバー収容部又は前記装置収容部は、前記ＦＰＤ装置の前記表示面が前記保護カバーに対して前記表示面の一端側から他端側に向けて離間距離が漸増する傾斜状態に保持するよう設定され、前記カバー収容部の底部には、前記保護カバーの一部を前記表示面に対して押し付けるための押圧操作部が設けられており、前記押圧操作部は、前記保護カバーと前記表示面との離間距離が漸増する方向に沿って延びる長孔とされていることを特徴とする。
【０００８】
上記構成の貼付治具によれば、保護カバーをカバー収容部に位置決め保持した状態で装置収容部の係合段部にＦＰＤ装置を係合させることで、まず、ＦＰＤ装置と保護カバーとを僅かに離れた状態で位置決め（貼り付け前）することができる。
【０００９】
次に、カバー収容部の底部に設けられた押圧操作部により保護カバーを表示面側に向けて押圧することにより、カバー収容部内に収容されている保護カバーを表示面に貼り付けることができる。
【００１０】
この時、カバー収容部又は装置収容部は、ＦＰＤ装置の表示面が保護カバーに対して表示面の一端側から他端側に向けて離間距離が漸増する傾斜状態に保持するように設定されているから、作業者は、まず、離間距離が小さい位置において押圧操作するようにする。このようにすると、保護カバーは表示面に対して位置ずれし難い位置においてカバー収容部から装置収容部側に移動し、一部が表示面に接触することとなる。そして、その後、その接触部から空気を押しのけるようにして表示面に徐々に貼り付いていくから、気泡が混入し難い状態で保護カバー全体が表示面に貼り付けられる。
【００１１】
このように本明細書に開示される保護カバー貼付治具によれば、保護カバーを表示面に対して正確な位置に、かつ、気泡を混入させ難い状態で、貼り付けることができる。
【００１３】
また、押圧操作部は、保護カバーと表示面との離間距離が漸増する方向に沿って延びる長孔とされているから、長孔に指を差し込むことにより、保護カバーを表示面に対して押し付けることができる。しかも、底部に長孔を設けるだけでよいから、簡易な構成とすることができる。
また、本明細書に開示される技術は、平面状の表示面を有するフラットパネルディスプレイ（ＦＰＤ）装置の前記表示面に保護カバーを貼り付けるための治具であって、前記保護カバーを位置決め保持する凹状のカバー収容部と、前記カバー収容部の外側において前記ＦＰＤ装置の少なくとも一対の側縁部と係合する係合段部を有して前記ＦＰＤ装置を前記保護カバーから僅かに離れた状態で位置決め保持する装置収容部と、を備え、前記カバー収容部又は前記装置収容部は、前記ＦＰＤ装置の前記表示面が前記保護カバーに対して前記表示面の一端側から他端側に向けて離間距離が漸増する傾斜状態に保持するよう設定されており、前記カバー収容部の底部には、前記保護カバーの一部を前記表示面に対して押し付けるための押圧操作部が設けられるとともに、前記保護カバーを仮保持する粘着層が設けられていることを特徴とする。
このような構成によれば、貼り付け前の保護カバーをカバー収容部内に安定的に保持することができる。
【００１４】
上述した貼付治具は、以下の構成を備えていてもよい。
押圧操作部は、保護カバーと表示面との離間距離が少ない側に片寄って配されている構成としてもよい。このような構成によれば、保護カバーをより表示面に近い位置からカバー収容部側に移動させることができるから、表示面に対する位置ずれがより生じ難い。
【００１６】
カバー収容部は長方形状の底部と当該底部から立ち上がる側壁部とを備え、底部と、底部の一辺の少なくとも一部を含む側壁部との間の角度が、直角より小さい角度に設定されている構成としてもよい。
【００１７】
保護カバーをカバー収容部内にセットする際には、保護カバーの一側縁部をカバー収容部の底部および側壁部の間の一角部に突き当て、その後保護カバー全体を収容するようにすると位置ずれし難く効率的であるが、この時、保護カバーの一側縁部が角部から滑って位置ずれし、収容作業が滞る場合がある。
【００１８】
このような問題に対し、上記構成によれば、保護カバーの一側縁部は、直角より小さい角度とされた一角部に突き当てることにより位置ずれし難くなる。よって、保護カバーのカバー収容部に対する収容作業を速やかに行うことができる。
【００１９】
また本明細書に開示される技術は、上述したフラットパネルディスプレイ装置用保護カバーの貼付治具と、貼付治具のカバー収容部に収容された保護カバーと、保護カバーを収容した貼付治具を収容する外装箱とを備えるフラットパネルディスプレイ装置用保護カバーの貼り付けキットである。
【００２０】
この貼り付けキットによれば、保護カバーをＦＰＤ装置の表示面に対して正確な位置に、かつ、気泡を混入させ難い状態で、貼り付けることができる。
【００２１】
貼り付けキットにおいて、貼付治具の少なくとも四隅部に、外装箱内において外装箱の内面に接する支持壁部が設けられている構成としてもよい。
【００２２】
このような構成によれば、外装箱に外圧が加えられた場合に、保護カバーを収容している貼付治具の底部に大きな圧力がかかることを支持壁部により抑制することができる。また、貼付治具全体が外装箱内でがたつくことを抑制することもできる。
【００２３】
貼付治具うち押圧操作部の周囲に、前記カバー収容部と反対側に向けて突出する受け壁部が設けられている構成としてもよい。このような構成とすると、押圧操作部が外圧により受ける影響をより小さくすることができる。
【発明の効果】
【００２４】
本明細書に開示される技術によれば、スマートフォンやタブレット型ＰＣなどのＦＰＤ装置の表示面を保護する保護カバーを、表示面に対して簡単に位置合わせすることができ、かつ、気泡を混入させ難い状態で貼り付けることができるＦＰＤ装置用保護カバーの貼付治具およびＦＰＤ装置用保護カバーの貼り付けキットを提供することができる。
【図面の簡単な説明】
【００２５】
【図１】一実施形態のスマートフォン、保護カバー、および、貼付治具の分解斜視図
【図２】貼付治具の平面図
【図３】貼付治具の正面図
【図４】貼付治具の左側面図
【図５】図２のＡ−Ａ断面図
【図６】図２のＢ−Ｂ断面図
【図７】貼付治具の下面図
【図８】貼付治具を下面側から見た斜視図
【図９】保護カバーを貼付治具にセットする工程を概念的に示す左側断面図
【図１０】図９の要部拡大断面図
【図１１】保護カバーを貼付治具にセットした状態の下面図
【図１２】保護カバーから保護シートをはがす工程を概念的に示す左側断面図
【図１３】スマートフォンを貼付治具にセットする工程を概念的に示す左側断面図
【図１４】スマートフォンを貼付治具にセットした状態の下面図
【図１５】図１４のＣ−Ｃ断面図
【図１６】保護カバーをスマートフォンに貼り付ける工程を概念的に示す左側断面図
【図１７】保護カバーをスマートフォンに貼り付ける工程を概念的に示す左側断面図
【図１８】スマートフォンに貼り付けられた保護カバーから保護フィルムをはがす工程を概念的に示す左側面図
【図１９】他の実施形態の貼付治具の平面図
【図２０】他の実施形態の貼付け治具において保護カバーをスマートフォンに貼り付ける工程を概念的に示す左側断面図
【図２１】他の実施形態の貼付治具の斜視図
【発明を実施するための形態】
【００２６】
一実施形態を図１ないし図１８によって説明する。なお、以下の説明においては、図１における上側を上方、下側を下方、図２における左側を左、右側を右、下側を前方、上側を後方とする。
【００２７】
本実施形態の貼付治具１０は、スマートフォン５０（ＦＰＤ装置の一例）の表示面５１を保護する保護カバー４０を表示面５１に貼り付けるための治具あって、無色または有色の透明プラスチックシートを真空成型することにより形成されている。
【００２８】
この貼付治具１０は、下方に向けて開放する浅皿状（凹状）とされて保護カバー４０を内側に収容保持するカバー収容部１１と、カバー収容部１１の下方においてスマートフォン５０を位置決め保持する装置収容部２１と、を備えている。
【００２９】
カバー収容部１１は、保護カバー４０より僅かに大きい寸法の略長方形状の底部１２と、底部１２の縁部から下方に向けて延出された４つの側壁部１３とを備えている。
【００３０】
装置収容部２１は、カバー収容部１１の各側壁部１３の下端縁（底部１２とは反対側の端縁部）から外側に向けて張り出す張出部２２と、張出部２２の一部から下方に向けて延出された立壁２３とからなる断面Ｌ字形状の係合段部２４を有している（図５参照）。平面視した際に立壁２３の延長線により囲まれる領域は、全体としてスマートフォン５０の外寸法とほぼ同等あるいは僅かに大きい寸法とされている。すなわち、カバー収容部１１の底部１２よりやや大きい寸法の長方形状とされている。
【００３１】
係合段部２４は、装置収容部２１の前後方向および左右方向に対向するように１対ずつ、合計２対設けられており、互いに対向する位置に配された係合段部２４とともにスマートフォン５０の一対の側縁部を挟み込むように係合することにより、装置収容部２１内にスマートフォン５０を位置決め保持するようになっている。
【００３２】
なお、立壁２３の上下方向の寸法（高さ寸法）は、装置収容部２１の周方向の全域に亘って、スマートフォン５０の厚み寸法とほぼ同等とされている。
【００３３】
係合段部２４のうち、装置収容部２１内にスマートフォン５０が所定の向きで位置決め保持された状態において、スマートフォン５０の側面に設けられた装置操作部５２に対応する領域は、装置操作部５２との干渉を回避するべく外側に向けて張り出した第１逃がし部２５とされている。
【００３４】
また、装置収容部２１の４つの角部に対応する領域は、スマートフォン５０と貼付治具１０との着脱作業が容易となるように立壁２３が切り欠かれた、切欠部２６とされている（図７および図８参照）。
【００３５】
さらに、カバー収容部１１内に保護カバー４０が収容された際に、保護カバー４０の後述するピールシール４３，４４が配される領域（前方および後方に配された、カバー収容部１１の側壁部１３および装置収容部２１の係合段部２４）は、ピールシール４３，４４を逃がすべく外側かつ上方に向けて張り出した第２逃がし部２７とされている。
【００３６】
立壁２３の下端縁（カバー収容部１１とは反対側の端縁部）には、外側に向けて張り出す支持台部３０が設けられている。この支持台部３０により、貼付治具１０は、その載置面に対して載置姿勢が安定的に保持されるようになっている。
【００３７】
貼付治具１０の四隅部には、支持台部３０から上方（カバー収容部１１側）に向けて立ち上がる中空状の支持壁部３１が設けられている。支持壁部３１の支持台部３０からの高さは、底部１２の支持台部３０からの高さより高くなるように設定されている（図５参照）。
【００３８】
本実施形態の貼付治具１０において、カバー収容部１１の底部１２は、装置収容部２１内に係合保持されたスマートフォン５０の表示面５１に対して一端側から他端側に向けて離間距離が漸増する傾斜状態となるように設定されている。より詳細には、本実施形態の貼付治具１０においては、図２の上方に示す底部１２の後方側が、図２の下方に示す底部１２の前方側よりも、支持台部３０（載置面）からの高さが低くなるように、前後方向において支持台部３０から傾斜して配されている。
【００３９】
また、カバー収容部１１の底部１２には、カバー収容部１１に収容保持された保護カバー４０を表示面５１に対して押圧操作するための長孔１５（押圧操作部の一例）が貫通形成されている。この長孔１５は、底部１２の幅方向の中央部において前後方向に沿って、すなわち、保護カバー４０と表示面５１との離間距離が漸増する傾斜方向に沿って形成されている。またこの長孔１５は、底部１２のうち後方側（図２の上方）、すなわち、保護カバー４０と表示面５１との離間距離が少ない側に片寄って配されている。
【００４０】
長孔１５の周縁部には、上方に向けて立ち上がる受け壁部１６が設けられている。受け壁部１６は、長孔１５の周縁部から径方向のやや内側に向けて斜めに立ち上がるとともに、先端部が径方向の内側に向けて屈曲されており、その上面が平坦な受け面１７とされている（図５参照）。この受け壁部１６（受け面１７）の支持台部３０からの高さは、周方向において全体が同等の高さとなるように設定されている。換言すると、受け面１７は支持台部３０（載置面）と平行な面とされている。なお、受け壁部１６（受け面１７）の支持台部３０からの高さは、支持壁部３１の支持台部３０からの高さよりやや低く設定されている。
【００４１】
カバー収容部１１の底部１２のうち長孔１５の左右方向の両隣には、両面粘着テープ３５（粘着層の一例）が貼付されている（図７および図８参照）。この粘着テープ３５は、底部１２の前方側（図７の下側）、すなわち、底部１２に配される保護カバー４０と表示面５１との離間距離が大きくなる側に片寄って配されており、後方側（図７の上側）の、保護カバー４０と表示面５１との離間距離が小さくなる側には配されていない。
【００４２】
また、長孔１５の左右方向の両隣のうち、底部１２の後方側（図２の上側）には、作業する際に上方向とすることを示すＵＰの文字１８が刻印されている。
【００４３】
さらに、カバー収容部１１の側壁部１３のうち前方側（図２の下側）に配された側壁部１３Ａと、底部１２との間の角度αは、直角よりやや小さい角度（α＜９０°）に設定されている（図１０参照）。
【００４４】
なお、上述した保護カバー４０は、スマートフォン５０への貼り付け前の単体の状態において、表示面５１側に第１保護シート４１が貼り付けられているとともに、表示面５１とは反対側に、第２保護シート４２が貼り付けられている。またこれら第１保護シート４１および第２保護シート４２には、各保護シート４１，４２を保護カバー４０から剥離させるためのピールシール４３，４４が前方または後方にはみ出すように設けられている。
【００４５】
本実施形態の貼付治具１０は上述した構成であって、次に、使用方法について説明する。
【００４６】
貼付治具１０は、保護カバー４０を予めセットした状態の保護カバー貼り付けキットとして販売される。製造業者において保護カバー４０を貼付治具１０にセットする際には、まず、貼付治具１０の裏面側を上方側に露出させ、カバー収容部１１の底部１２に貼付されている両面粘着テープ３５の剥離紙を引き剥がし、粘着層を露出させる。そして、保護カバー４０を貼付治具１０に対して所定の向きで近づけ、保護カバー４０の所定の一側縁部４５を、貼付治具１０の上述した所定の側壁部１３Ａと底部１２との間の所定の角部１４に突き当てる（図１０参照）。その後、保護カバー４０を所定の側縁部４５を中心に下側に向けて回動させ、カバー収容部１１内に収容する。
【００４７】
この時、カバー収容部１１の所定の角部１４の内側の角度は、直角よりもやや小さい角度αに設定されているため、この角部１４に突き当てられた保護カバー４０の側縁部４５は、角部１４から滑り難い状態とされている。よって、保護カバー４０の収容作業を滞らせることなく速やかに行うことができる。
【００４８】
このように保護カバー４０がセットされた貼付治具１０は、図示しない外装箱に入れられて商品とされる。外装箱は、貼付治具１０を内部にぴったり収容可能な大きさに形成されている。
【００４９】
保護カバー貼り付けキットの購入者がスマートフォン５０に保護カバー４０を貼り付ける際には、まず、外装箱から貼付治具１０を取り出し、ＵＰの文字が刻印されている側を上（奥）にして、貼付治具１０を左右方向に表裏反転させる（図１１の状態）。そして、下側（手前側）に配されたピールシール４３を引っ張り、保護カバー４０の表面を覆っている第１保護シート４１を引き剥す（図１２参照）。これにより、保護カバー４０の粘着面が露出される。
【００５０】
次に、スマートフォン５０を、表示面５１が保護カバー４０の粘着面に対向するように、かつ、上下方向を所定の向きとなるようにして、貼付治具１０の装置収容部２１内に収容する（図１３参照）。スマートフォン５０は装置収容部２１の互いに対向する２対の係合段部２４に挟まれるように嵌め入れられ、装置収容部２１内に位置決め保持される（図１４参照）。このとき、スマートフォン５０の裏面（表示面５１と反対側の面）と支持台部３０とは、ほぼ同一面上に配される。あるいは、スマートフォン５０を机等の載置面に表示面５１が上になるように載置し、上方から貼付治具１０を被せるように装着してもよい。
【００５１】
この状態において、スマートフォン５０と保護カバー４０とは、僅かに離れた状態で相対的に位置決めされている。より詳細には、スマートフォン５０の表示面５１と保護カバー４０とは、長手方向において、ＵＰと刻印されている側の離間距離が最も小さくなるように、また、その反対側の離間距離が相対的に大きくなるように、位置決めされている。以下、離間距離が小さい側の端部を近距離側端部、離間距離が大きい側の端部を遠距離側端部として説明する。
【００５２】
次に、カバー収容部１１の底部１２に設けられた長孔１５のうち、近距離側端部、すなわち、ＵＰと刻印されている側の端部に指を差し入れ、保護カバー４０を表示面５１に向けて押圧する（図１６参照）。すると保護カバー４０の近距離側端部が表示面５１に移動し、露出された粘着面の一部が表示面５１に接触する。この時、底部１２の近距離側端部の周辺には、保護カバー４０をカバー収容部１１内に保持する粘着層（粘着テープ３５）は設けられていないから、保護カバー４０の近距離側端部はカバー収容部１１から表示面５１側に比較的簡単に（小さな力で）移動することができる。
【００５３】
次に、保護カバー４０を押圧しつつ、指を長孔１５に沿って遠距離側端部に向けて徐々に移動させる（図１７参照）。すると、一部（近距離側端部）が表示面５１に接触している保護カバー４０は、その接触部から空気を押しのけるようにして遠距離側端部に向けて表示面５１に徐々に貼り付いていく。すなわち、表示面５１との間に気泡が混入し難い状態で保護カバー４０全体が徐々に表示面５１に貼り付けられる。
【００５４】
そして最後に、貼付治具１０をスマートフォン５０から取り除き、保護カバー４０の表面を覆っている第２保護シート４２をピールシール４４を引っ張って引き剥す（図１８参照）。
【００５５】
このように、本実施形態の貼付治具１０および貼り付けキットによれば、保護カバー４０を表示面５１に対して容易に位置決めすることができるとともに、気泡を混入させ難い状態で貼り付けることができる。
【００５６】
また、底部１２に長孔１５を設けるという簡易な構成により、長孔１５に指を差し込んで保護カバー４０を表示面５１側に押圧し、貼り付けることができる。しかも長孔１５は、底部１２のうち近距離側端部（保護カバー４０と表示面５１との離間距離が少ない側）に片寄って配されているから、保護カバー４０をより表示面５１に近い位置から表示面５１側に移動させることができる。すなわち、保護カバー４０が表示面５１に対して位置ずれし難い。
【００５７】
また、カバー収容部１１の底部１２に保護カバー４０を仮保持する粘着層（粘着テープ３５）が設けられているから、表示面５１に貼り付け前の保護カバー４０をカバー収容部１１内に安定的に保持することができる。
【００５８】
また、カバー収容部１１の底部１２と、底部１２の一辺（前方側の辺）を含む側壁部１３Ａとの間の角部１４の角度が、直角より小さい角度αに設定されているから、保護カバー４０をカバー収容部１１内にセットする際に、この角部１４に保護カバー４０の一側縁部４５を突き当てることにより、保護カバー４０を位置ずれし難くすることができる。すなわち、保護カバー４０のカバー収容部１１に対する収容作業を速やかに行うことができる。
【００５９】
また、貼付治具１０の四隅部には支持壁部３１が設けられているから、外装箱に外圧が加えられた場合に、支持壁部３１により、貼付治具１０の底部１２に大きな圧力がかかることを抑制することができる。また、貼付治具１０全体が外装箱内でがたつくことを抑制することもできる。
【００６０】
さらに、長孔１５の周囲に上方に向けて突出する受け壁部１６が設けられているから、外装箱に外圧が加えられた場合に、長孔１５すなわち、長孔１５から露出している保護カバー４０が外圧により影響を受け難くすることができる。
【００６１】
＜他の実施形態＞
本明細書に開示される技術は上記記述及び図面によって説明した実施形態に限定されるものではなく、例えば次のような実施形態も技術的範囲に含まれる。
【００６２】
（１）上記実施形態では、係合段部２４を装置収容部２１の互いに対向する部分に２対設ける構成としたが、一対と単独で設ける構成としてもよい。この場合、装置収容部２１のうち係合段部２４が設けられなかった部分が開放された状態となるので、ＦＰＤ装置を装置収容部２１の横方向からスライドさせながら収容し、単独の係合段部２４に突き当てることで、ＦＰＤ装置を位置決めすることができる。
【００６３】
（２）上記実施形態では、カバー収容部１１の底部１２を支持台部３０（載置面）から傾斜させることで、保護カバー４０と表示面５１との離間距離を変化させる構成としたが、底部１２を支持台部３０（載置面）と平行に設け、装置収容部２１を支持台部３０（載置面）から傾けて設定することにより、保護カバー４０と表示面５１との離間距離を変化させる構成としてもよい。
【００６４】
（３）上記実施形態では、底部１２に押圧操作部として長孔１５を設け、長孔１５に指を差し入れることにより保護カバー４０を表示面５１側に押圧する構成としたが、押圧操作部は孔状に限るものではない。例えば、図１９および図２０に示すように、底部１１２にＵ字形状の切込み１１５を入れて、舌片状の押圧操作部１１６を設けてもよい。この場合、押圧操作部１１６の自由端１１６Ａ側を指で押圧し、離間距離が小さい方から大きい方に向けて押圧操作部１１６を屈曲させつつ移動させることにより、保護カバー４０を表示面５１に貼り付けることができる。
【００６５】
（４）上記実施形態では、押圧操作部（長孔１５）は離間距離が少ない側に片寄って配置したが、必ずしも片寄っていなくてもよい。例えば、押圧操作部を前後方向における中央付近に配してもよいし、前後方向における一端側から他端側まで延びるより長い形態としてもよい。
【００６６】
（５）また、押圧操作部を長孔とする場合も、その形状や数は上記実施形態に限るものではなく、Ｔ字状としたり、分割して複数設ける構成としてもよい。例えば図２１に示すように、底部２１２のうち離間距離が少ない側（後方）に左右方向に延びる第１長孔２１５Ａを設けるとともに、その前方側に第１長孔２１５Ａとは別とされた（分割された）前後方向に延びる第２長孔２１５Ｂを設ける構成とすることもできる。この場合、まず、第１長孔２１５Ａに指を差し入れて離間距離が少ない側において保護カバー４０を幅方向に押圧し、その後、第２長孔２１５Ｂに指を差し入れて離間距離が大きい側に向けて押圧することにより、保護カバー４０を表示面５１に対して簡単に位置合わせでき、かつ、気泡を混入させることなく貼り付けることができる。
【００６７】
（６）上記実施形態では、カバー収容部１１の底部１２に粘着層（粘着テープ３５）を設ける構成としたが、粘着層は省略することもできる。その場合、カバー収容部１１に保護カバー４０を係止する係止部を設けたり、保護カバー４０側に粘着層を設けたりすると、保護カバー４０をカバー収容部１１内に安定的に保持することができる。
【００６８】
（７）また、カバー収容部１１の底部１２に粘着層（粘着テープ３５）を設ける場合、その領域は上記実施形態に限るものではなく、例えば長孔１５を除く底部１２全体に設ける等、任意の構成とすることができる。
【００６９】
（８）上記実施形態では、保護カバー４０をカバー収容部１１にセットし易くするために、底部１２と所定の側壁部１３Ａとの間の角部１４の角度を９０°より小さく設定したが、このように角度を小さくする部分は必ずしも設けなくてもよい。
【００７０】
（９）また上記実施形態では、長孔１５の周囲に受け壁部１６を設けたが、受け壁部１６は省略することもできる。あるいは、受け壁部１６の支持台部３０からの高さを、支持壁部３１の支持台部３０からの高さと同等としてもよい。
【００７１】
（１０）上記実施形態では、支持壁部３１を設けたが、支持壁部３１は省略することもできる。
【００７２】
（１１）本実施形態の貼付治具１０をブリスターケースとして、保護カバー４０を収容した状態で販売することもできる。その場合は、押圧操作部が塞がれていることが好ましい。
【００７３】
（１２）上記実施形態では、プラスチックシートを真空成型してなる貼付治具１０を例示したが、例えば、直方体をくり抜いた形態の貼付治具１０とすることもできる。
【符号の説明】
【００７４】
１０、１１０、２１０…貼付治具
１１…カバー収容部
１２、１１２、２１２…底部
１３…側壁部
１５…長孔（押圧操作部）
１６…受け壁部
２１…装置収容部
２４…係合段部
３１…支持壁部
３５…粘着テープ（粘着層）
４０…保護カバー
５０…スマートフォン（ＦＰＤ装置）
５１…表示面
１１６…押圧操作部
２１５Ａ…第１長孔（押圧操作部）
２１５Ｂ…第２長孔（押圧操作部）
【図１】
0006279534.tif 000002
【図２】
0006279534.tif 000003
【図３】
0006279534.tif 000004
【図４】
0006279534.tif 000005
【図５】
0006279534.tif 000006
【図６】
0006279534.tif 000007
【図７】
0006279534.tif 000008
【図８】
0006279534.tif 000009
【図９】
0006279534.tif 000010
【図１０】
0006279534.tif 000011
【図１１】
0006279534.tif 000012
【図１２】
0006279534.tif 000013
【図１３】
0006279534.tif 000014
【図１４】
0006279534.tif 000015
【図１５】
0006279534.tif 000016
【図１６】
0006279534.tif 000017
【図１７】
0006279534.tif 000018
【図１８】
0006279534.tif 000019
【図１９】
0006279534.tif 000020
【図２０】
0006279534.tif 000021
【図２１】
0006279534.tif 000022